(57)【要約】  無線フレームのすべてのデータの受信が完了しなくても、無線フレームの受信途中にそのデータ構成を従来よりも早い段階で判別できるようにする。そのため、本発明では、無線フレームの一部の受信電界強度分布を測定し、測定された前記分布に基づいて前記無線フレームのデータ構成を判別する。
2009004700.tif 000002
【特許請求の範囲】
【請求項１】
複数種類のデータ構成で無線フレームを送信する送信機から前記無線フレームを受信する受信機であって、
前記無線フレームの一部の受信電界強度分布を測定する測定手段と、
前記測定手段で測定された前記分布に基づいて前記無線フレームのデータ構成を判別する判別手段と、
をそなえたことを特徴とする、受信機。
【請求項２】
前記判別手段は、
前記無線フレームの一部の逆拡散結果が前記データ構成に応じて取り得る複数のパターンを前記受信電界強度分布の理論値として予め記憶しておくメモリと、
前記無線フレームの一部を受信して逆拡散した結果のパターンとして得られる前記測定手段の測定結果と、前記メモリにおける理論値との比較により、受信中の前記無線フレームのデータ構成を判別する受信データ構成判別部と、
をそなえたことを特徴とする、請求項１記載の受信機。
【請求項３】
前記判別手段は、
前記比較に、前記無線フレームの一部である複数の部分データについての前記測定結果の合成結果を用いることを特徴とする、請求項２記載の受信機。
【請求項４】
複数種類のデータ構成で無線フレームを送信する送信機から前記無線フレームを受信する受信機であって、
前記無線フレームの一部の受信電界強度分布を測定する判別手段と、
前記判別で測定された前記分布に基づいて前記無線フレームのデータ構成を判別する判別手段と、
前記判別手段で判別されたデータ構成に応じて前記送信機からの前記無線フレームの送信電力を制御する制御手段と、
をそなえたことを特徴とする、受信機。
【請求項５】
前記判別手段は、
前記無線フレームの一部の逆拡散結果が前記データ構成に応じて取り得る複数のパターンを前記受信電界強度分布の理論値として予め記憶しておくメモリと、
前記無線フレームの一部を受信して逆拡散した結果のパターンとして得られる前記測定手段の測定結果と、前記メモリにおける理論値との比較により、受信中の前記無線フレームのデータ構成を判別する受信データ構成判別部と、
をそなえたことを特徴とする、請求項４記載の受信機。
【請求項６】
前記判別手段は、
前記比較に、前記無線フレームの一部である複数の部分データについての前記測定結果の合成結果を用いることを特徴とする、請求項４又は５に記載の受信機。
【請求項７】
前記制御手段は、
前記判別手段で判別されたデータ構成が重要度の高いデータを含まないことを示す場合に、前記送信電力を減少制御することを特徴とする、請求項４〜６のいずれか１項に記載の受信機。
【請求項８】
前記判別手段は、
前記判別手段で判別されたデータ構成が重要度の高いデータを含むことを示す場合に、前記送信電力を増加制御することを特徴とする、請求項４〜７のいずれか１項に記載の受信機。
【請求項９】
前記無線フレームは、時分割多重された複数のスロットから構成され、
前記測定手段は、
前記データ構成を特定する情報が挿入されるスロットよりも前のスロットの前記受信電界強度分布を測定することを特徴とする、請求項１〜８のいずれか１項に記載の受信機。
【請求項１０】
前記受信電界強度分布を測定するスロットは、前記無線フレームの先頭スロットであることを特徴とする、請求項９記載の受信機。
【請求項１１】
前記判別手段で判別されたデータ構成で受信されるべきデータ量と、実際の受信データ量とに基づいて、受信品質を算出する受信品質算出手段をさらにそなえたことを特徴とする、請求項１〜１０のいずれか１項に記載の受信機。
【請求項１２】
複数種類のデータ構成で無線フレームを送信する送信機から前記無線フレームを受信する受信機における受信処理方法であって、
前記無線フレームの一部の受信電界強度分布を測定し、
測定された前記分布に基づいて前記無線フレームのデータ構成を判別する、
ことを特徴とする、受信処理方法。
【請求項１３】
複数種類のデータ構成で無線フレームを送信する送信機から前記無線フレームを受信する受信機における受信処理方法であって、
前記無線フレームの一部の受信電界強度分布を測定し、
測定された前記分布に基づいて前記無線フレームのデータ構成を判別し、
判別されたデータ構成に応じて前記送信機からの前記無線フレームの送信電力を制御する、
ことを特徴とする、受信処理方法。
【発明の詳細な説明】
【技術分野】
【０００１】
本発明は、受信機及び受信処理方法に関する。本発明は、例えば、Ｗ−ＣＤＭＡ（Wideband - Code Division Multiple Access）方式の受信機に用いると好適である。
【背景技術】
【０００２】
（Ａ）従来技術
３ＧＰＰ規格に準ずるＷ−ＣＤＭＡシステムにおいて、受信側（例えば、移動局の受信系（ＣＤＭＡ受信機））では、例えば図１５に示すように、アンテナ１０１により受信した信号は、ＲＦ部１０２にて低雑音増幅、周波数変換（ダウンコンバート）等の所要の無線受信処理を施された後、ＡＤ変換器（ＡＤＣ）１０３にてディジタル信号に変換され、ＡＧＣ（Automatic Gain Controller）１０４にて振幅調整され、逆拡散部１０５にて逆拡散処理を施され、同期検波部１０６にて同期検波されて、チャネルコーデック（ChCodec）１０７に入力される。【０００３】
チャネルコーデック１０７では、ＴＦＣＩデコード／ＢＴＦＤ部１７１に対して上位レイヤからＴＦＣＩの有無が設定され、ＴＦＣＩ有りが設定されている場合は、当該ＴＦＣＩデコード／ＢＴＦＤ部１７１により、前記同期検波後の信号に含まれるＴＦＣＩを受信することで受信データ構成（下り物理チャネル（ＤＰＣＨ：Dedicated Physical Channel）のスロットフォーマット）を検出し、検出したデータ構成に応じて、デインターリーブ部１７２、誤り訂正部１７３、ＣＲＣ部１７４を動作させて、前記同期検波後の受信信号についてチャネルコーデック処理（復号処理）を施して、上位レイヤに報告する（図１８参照）。【０００４】
一方、ＴＦＣＩデコード／ＢＴＦＤ部１７１に対して上位レイヤからＴＦＣＩ無しが設定されている場合は、後述するＢＴＦＤにより、全てのデータ構成について、デインターリーブ部１７２、誤り訂正部１７３、ＣＲＣ部１７４を動作させ、ＣＲＣ演算部１７４のＣＲＣ結果を基に最も正しいであろうデータ構成を選択し、そのデータ構成でチャネルコーデック処理（復号処理）を施したデータを上位レイヤに報告する（図１９参照）。【０００５】
（Ｂ）３ＧＰＰの説明
次に、従来技術に関する３ＧＰＰの説明を行なう。【０００６】
（１）データ構成（ＴＦＣ）
前記データ構成は、３ＧＰＰでは、ＴＦＣ（Transport Format Combination）と呼ばれ、多重化している複数のトランスポートチャネル（ＴＲＣＨ）の同時転送可能な組み合わせのことである。【０００７】
個別チャネルのオープン時に上位レイヤのメッセージにより、使用される可能性のある全てのＴＦＣの集合であるＴＦＣＳ（Transport Format Combination Set）が受信側に通知される。当該情報が、前記ＴＦＣＩデコード／ＢＴＦＤ部１７１に設定されることになる。【０００８】
（２）ＴＦＣＩ（Transport Format Combination Indicatior）
ＴＦＣＩは、ＴＦＣと１対１に対応しており、送信側が送信データのＴＦＣに応じて、ＴＦＣＩをデータ構成の識別子として受信側に送信する。受信側では、ＴＦＣＩを受信することで、送信データのＴＦＣを認識でき、これに応じた受信処理（前記デインターリーブ部１７２、誤り訂正部１７３、ＣＲＣ部１７４によるチャネルコーデック処理）を行なう。【０００９】
（３）ＢＴＦＤ（Brind Transport Format Ditection）
図１６に下り無線フレーム（ＤＰＣＨ）のフォーマットを示す。この図１６において、下り無線フレームは、２５６０チップ時間相当のスロット（以下、ＤＰＣＨスロットともいう）が１５スロット（スロット＃０〜＃１４）時分割多重されて構成され、１０ｍｓ周期で当該無線フレームが繰り返し受信側に向けて送信される。【００１０】
前記各ＤＰＣＨスロットには、それぞれ、ＤＰＤＣＨ（Dedicated Physical Data Channel）のデータ（音声データ等のユーザデータ）と、ＤＰＣＣＨ（Dedicated Physical Control Channel）のデータ（ＴＰＣビット、ＴＦＣＩ及びパイロット信号等の制御データ）とが時分割多重される。なお、ＤＰＤＣＨのデータは、１スロット内において時間的に２つの領域（ＤＡＴＡ１，ＤＡＴＡ２）に分散ないし分割されて配置される。【００１１】
また、３ＧＰＰにおいて、個々のスロットには、例えば図１７に示すように、４９通りのスロットフォーマットが規定されており、それぞれ、チャネルビットレート、チャネルシンボルレート、ＤＰＤＣＨのビット構成、ＤＰＣＣＨのビット構成等が規定されている。【００１２】
ここで、図１６に示す下り無線フレームのＤＰＤＣＨのデータ領域において、図１７においてＴＦＣＩが存在しないスロットフォーマット（例えば、スロットフォーマット＃０，＃２，＃４，＃６，＃８等）の物理チャネルを使用した場合、受信側では受信データのＴＦＣが不明なため、自律的にＴＦＣを検出する必要がある。【００１３】
そのため、受信側（前記ＴＦＣＩデコード／ＢＴＦＤ部１７１）では、予め通知されているＴＦＣＳの全てのＴＦＣで受信処理を行ない、ＣＲＣ結果により、最も正しいと推定されるＴＦＣを選択する。このような受信処理をＢＴＦＤと呼ぶ。【００１４】
（４）下り電力制御
下り電力制御には、閉（closed）ループの電力制御が用いられ、内部（inner）ループの電力制御では、受信ＳＩＲ（Siginal to Interference Ratio）と目標ＳＩＲとを比較し、下り電力の増減を送信元に依頼することで、受信ＳＩＲを目標ＳＩＲに近づけるとともに、外部（outer）ループにより、受信品質と目標品質とを比較し目標ＳＩＲの増減を行なう。これにより、下り電力を目標品質に適した値に制御することが可能となる。【００１５】
（５）受信品質
トランスポートブロック毎に付随するＣＲＣ符号をチェックすることにより、トランスポートブロックの誤り率を算出することが可能であり、この値により前記受信品質を判断することができる。【００１６】
（Ｃ）その他の関連技術
その他の関連技術として、下記の特許文献１及び特許文献２の技術が存在する。【００１７】
（１）特許文献１には、受信している情報の電力が定義されたしきい値以上である期間を測定し、測定した期間および受信した情報の情報レートを使って、その受信した情報の推定情報サイズ値を判定し、推定情報サイズ値を、受信した情報の書式を判定するアルゴリズムにかけることにより、受信情報の書式を、ＴＦＣＩ情報を使用することなく検出することが記載されている。【００１８】
（２）また、特許文献２には、通信システムのガイドチャネルの書式を、ルックアップテーブルまたは他のマッピング技術を利用して検出し、検出されたガイドチャネルの書式を使ってその通信システムの他のチャネルの書式を判定することで、受信情報の書式をＴＦＣＩ情報を使用することなく判定することが記載されている。
【特許文献１】特開２００３−１３４０７１号公報
【特許文献２】特開２００３−１８８８５４号公報
【発明の開示】
【発明が解決しようとする課題】
【００１９】
図１８に示すように、受信側は、ＴＦＣＩを受信することで初めてＴＦＣを認識して当該ＴＦＣに応じた適切な受信処理を行なう（ステップＳ１０１〜Ｓ１０３）。また、図１９に示すように、ＴＦＣＩが存在しない物理チャネルで通信を行なっている場合は、ＴＦＣＳ内の複数のＴＦＣで複数回受信した結果からＴＦＣを決定する（ステップＳ２０１〜Ｓ２０５）。【００２０】
ここで、取りこぼしたくない重要なデータ（例えば制御データ）を含むＴＦＣのスロットについては、下り電力制御により予め高い電力で受信することで、重要なデータの取りこぼしを低減することが可能となるが、ＴＦＣが決定するのは早くてもＴＦＣＩ有りの場合でＴＦＣＩを受信した後、つまりは前記無線フレームを１フレーム（＝１５スロット）受信した後であるため、１フレーム（１０ｍｓ）の受信途中にこのような制御を行なうことは不可能である。この点は、前記特許文献１及び２の技術に関しても同様である。【００２１】
本発明は、このような課題に鑑み創案されたもので、その目的の一つは、無線フレームの受信途中であっても当該フレームのデータ構成を判別可能にすることにある。
また、本発明の他の目的は、判別結果を利用して前記無線フレームについての効率的な送信電力制御を実施することである。【００２２】
なお、前記目的に限らず、後述する発明を実施するための最良の形態に示す各構成により導かれる作用効果であって、従来の技術によっては得られない作用効果を奏することも本発明の他の目的の一つとして位置付けることができる。
【課題を解決するための手段】
【００２３】
前記目的を達成するために、本発明では、以下に示す受信機及び受信処理方法を用いる。
（１）即ち、本発明の受信機は、複数種類のデータ構成で無線フレームを送信する送信機から前記無線フレームを受信する受信機であって、前記無線フレームの一部の受信電界強度分布を測定する測定手段と、前記測定手段で測定された前記分布に基づいて前記無線フレームのデータ構成を判別する判別手段と、をそなえる。【００２４】
（２）ここで、前記判別手段は、前記無線フレームの一部の逆拡散結果が前記データ構成に応じて取り得る複数のパターンを前記受信電界強度分布の理論値として予め記憶しておくメモリと、前記無線フレームの一部を受信して逆拡散した結果のパターンとして得られる前記測定手段の測定結果と、前記メモリにおける理論値との比較により、受信中の前記無線フレームのデータ構成を決定する受信データ構成決定部と、をそなえていてもよい。【００２５】
（３）また、前記判別手段は、前記比較に、複数の前記無線フレームの一部についての前記測定結果の合成結果を用いてもよい。【００２６】
（４）さらに、本発明の受信機は、複数種類のデータ構成で無線フレームを送信する送信機から前記無線フレームを受信する受信機であって、前記無線フレームの一部の受信電界強度分布を測定する測定手段と、前記測定手段で測定された前記分布に基づいて前記無線フレームのデータ構成を判別する判別手段と、前記判別手段で判別されたデータ構成に応じて前記送信機からの前記無線フレームの送信電力を制御する制御手段と、をそなえる。【００２７】
（５）ここで、前記判別手段は、前記無線フレームの一部の逆拡散結果が前記データ構成に応じて取り得る複数のパターンを前記受信電界強度分布の理論値として予め記憶しておくメモリと、前記無線フレームの一部を受信して逆拡散した結果のパターンとして得られる前記測定手段の測定結果と、前記メモリにおける理論値との比較により、受信中の前記無線フレームのデータ構成を決定する受信データ構成決定部と、をそなえていてもよい。【００２８】
（６）また、前記判別手段は、前記比較に、複数の前記無線フレームの一部についての前記測定結果の合成結果を用いてもよい。【００２９】
（７）さらに、前記制御手段は、前記判別手段で判別されたデータ構成が重要度の高いデータを含まないことを示す場合に、前記送信電力を減少制御してもよい。【００３０】
（８）また、前記制御手段は、前記判別手段で判別されたデータ構成が重要度の高いデータを含むことを示す場合に、前記送信電力を増加制御してもよい。【００３１】
（９）さらに、前記無線フレームは、時分割多重された複数のスロットから構成され、前記測定手段は、前記データ構成を特定する情報が挿入されるスロットよりも前のスロットの前記受信電界強度分布を測定してもよい。【００３２】
（１０）また、前記受信電界強度分布を測定するスロットは、前記無線フレームの先頭スロットであってもよい。【００３３】
（１１）さらに、前記受信機は、前記判別手段で判別されたデータ構成で受信されるべきデータ量と、実際の受信データ量とに基づいて、受信品質を算出する受信品質算出手段をさらにそなえていてもよい。【００３４】
（１２）また、本発明の受信処理方法は、複数種類のデータ構成で無線フレームを送信する送信機から前記無線フレームを受信する受信機における受信処理方法であって、前記無線フレームの一部の受信電界強度分布を測定し、測定された前記分布に基づいて前記無線フレームのデータ構成を判別する。【００３５】
（１３）さらに、本発明の受信処理方法は、複数種類のデータ構成で無線フレームを送信する送信機から前記無線フレームを受信する受信機における受信処理方法であって、前記無線フレームの一部の受信電界強度分布を測定し、測定された前記分布に基づいて前記無線フレームのデータ構成を判別し、判別されたデータ構成に応じて前記送信機からの前記無線フレームの送信電力を制御する。
【発明の効果】
【００３６】
本発明によれば、前記無線フレームの一部の受信電界強度分布を測定して、その分布に基づいて前記無線フレームのデータ構成を判別するので、無線フレームのすべてのデータの受信が完了しなくても、無線フレームの受信途中にそのデータ構成を従来よりも早い段階で判別することができる。【００３７】
また、その判別結果（データ構成）に応じて、前記無線フレームの送信機からの送信電力を制御することで、従来よりも早い段階で適切で効率的な電力制御を実施することができる。
【図面の簡単な説明】
【００３８】
【図１】本発明の一実施形態に係る音声通話時のＮＷ（無線基地局：ＢＳ）から移動機（ＭＳ）へのダウンリンクの通信の流れを示す図である。
【図２】図１に示すダウンリンクの通信（音声通話）時に各ＴＦＣでの下りＤＰＣＨの構成（フォーマット）例を示す図である。
【図３】図１に示すダウンリンクの通信（音声通話）時にＴＲＣＨを符号化してＤＰＣＨにマッピングするまでの処理フローの一例を示す図である。
【図４】図１に示す各ＴＦＣでの受信信号の逆拡散相関値の分布例を示す図である。
【図５】本発明の一実施形態に係るＭＳの構成を受信系に着目して示すブロック図である。
【図６】図５に示すＭＳの通信開始時の動作を説明するフローチャートである。
【図７】図５に示すＭＳのスロットデータ受信時の動作を説明するフローチャートである。
【図８】図５に示すＭＳの下り電力制御を説明するフローチャートである。
【図９】図５に示すＭＳ（受信ＴＦＣ決定方法）による効果を説明する模式図である。
【図１０】図５に示すＭＳの変形例を示すブロック図である。
【図１１】図１０に示すＭＳの通信開始時の動作を説明するフローチャートである。
【図１２】図１０に示すＭＳのスロットデータ受信時の動作を説明するフローチャートである。
【図１３】図１０に示すＭＳの下り電力制御を説明するフローチャートである。
【図１４】図５又は図１０に示すＭＳにおいて複数スロット分のビット加算（積分）による閾値判定を説明する模式図である。
【図１５】従来のＣＤＭＡ受信機の構成例を示すブロック図である。
【図１６】下りＤＰＣＨのフレームフォーマット例を示す図である。
【図１７】図１６に示す下りＤＰＣＨにけるスロットフォーマット例を示す図である。
【図１８】従来のＣＤＭＡ受信機の受信動作（ＴＦＣＩ有りの場合）を説明するフローチャートである。
【図１９】従来のＣＭＤＡ受信機の受信動作（ＴＦＣＩ無しの場合）を説明するフローチャートである。
【符号の説明】
【００３９】
１  ＮＷ（ＢＳ（送信機））
２  ＭＳ（ＣＤＭＡ受信機）
２１  アンテナ
２２  ＲＦ部
２３  ＡＤ変換器（ＡＤＣ）
２４  ＡＧＣ
２５  逆拡散部
２６  同期検波部
２７  チャネルコーデック
２７１  ＴＦＣＩコード／ＢＴＦＤ部
２７２  デインターリーブ部
２７３  誤り訂正部
２７４  ＣＲＣチェック部
２８  ＴＦＣ判別部
２８１  閾値メモリ
２８２  比較器
２８３  カウンタ
２８３ａ  ピークビットマップ化部
２８４  スロット内有効データ数算出部
２８４ａ  スロット内ピークビットマップ値算出部
２８５  理論値格納テーブルメモリ
２８５ａ  理論値格納テーブルメモリ
２８６  差分算出部
２８６ａ  ビットマップパターン照合部
２８７  最小値検出部
２８８，２８８ａ  ＴＦＣ決定部
２８９，２８９ａ  目標ＳＩＲ補正値算出部
２９  下り電力制御部
３０  受信品質算出部
【発明を実施するための最良の形態】
【００４０】
以下、図面を参照して本発明の実施の形態を説明する。ただし、本発明は、以下に示す実施形態に限定されず、本発明の趣旨を逸脱しない範囲で種々変形して実施できることはいうまでもない。【００４１】
〔１〕一実施形態の説明
（基本動作）
まず、基本動作の一例として、音声通話時のＮＷ（無線基地局（ＢＳ）等の送信機）から移動機（ＭＳ）へのダウンリンクの通信の流れを図１に示す。【００４２】
この図１に示すように、ＮＷ１は、通話開始に伴って予め、下りＤＰＣＨのスロットフォーマットとＴＦＣＳとをＭＳ２に通知する（ステップＳ１，Ｓ２）。ＴＦＣＳは、例えば次表１に示すように指定する。なお、当該ＴＦＣＳの値は、通信中は固定とする（ＴＦＣＩが存在しないスロットフォーマット番号も変化しない）。【００４３】
【表１】
2009004700.tif 000003
【００４４】
その後、ＮＷ１は、送信すべき音声データ、制御データの状況に応じて、通知したＴＦＣＳの中からＴＦＣを決定（選択）して送信を行なう（図１では送信周期をＴＴＩ＝２０ｍｓとしている）。例えば、無音かつ制御無しの場合はＴＦＣ＝０で送信を行ない（ステップＳ３）、有音かつ制御データ無しの場合はＴＦＣ＝４で送信を行ない（ステップＳ５）、有音かつ制御データ有りの場合はＴＦＣ＝５で送信を行ない（ステップＳ７）、背景雑音かつ制御データ有りの場合はＴＦＣ＝３で送信を行なうことになる（ステップＳ９）。【００４５】
なお、ＮＷ１は、ＴＦＣを決定したら、音声データと制御データとを符号化して、下りＤＰＣＨに配置（マッピング）する。このマッピングルールは決まっており、ＭＳ２も知っているため、ＴＦＣが分かれば、ＭＳ２は復号が可能となる。【００４６】
具体的に音声通話時に、各ＴＦＣで下りＤＰＣＨがどのような構成（フォーマット）になるかを図２に示す。
ＴＴＩ単位で発生するＴＲＣＨ＃１（音声データ-ClassA），ＴＲＣＨ＃２（音声データ-ClassB），ＴＲＣＨ＃３（音声データ-ClassC），ＴＲＣＨ＃４（制御データ）をそれぞれ符号化して結合し、物理チャネルであるＤＰＣＨにスロット分割してマッピングする。なお、音声データ（ＴＲＣＨ＃１，＃２，＃３）のデータ長は音声状況によって変化し、制御データ（ＴＲＣＨ＃４）のデータ長は制御情報の送信の有無によって変化する。【００４７】
図２には、スロットフォーマット＃８（ＴＦＣＩが存在しないフォーマット）のスロットのデータ領域（ＤＡＴＡ１＋ＤＡＴＡ２＝３４ビット）に音声データが多重化される様子を示している。当該データ領域には、図２中に示すように、ＴＦＣの値（０〜５）に応じた配置（６通り）で音声データがマッピングされる。【００４８】
ただし、図２に示すスロットフォーマット、ビット数は一例であり、ＮＷパラメータによって異なる。例えば、音声通話中の音声データに関しては、有音、背景雑音、無音かによりＴＲＣＨ＃１〜＃３の内容が変化する。これは、通話先の音声状況に依存する。また、制御データに関しては、ＮＷ１にて無線回線を維持する上で発生する制御情報（ハンドオーバ指示など）の有無に依存する。パケット通信中では、ＭＳ２がダウンロードするパケットデータ量に依存する。【００４９】
ＴＲＣＨを符号化してＤＰＣＨにマッピングするまでの処理フローの一例を図３に示す。各ＴＲＣＨは、ＣＲＣ付加（CRC attachment）、トランスポートブロック結合／コードブロック分割（TrBk concatenation/Code block segmentation）、チャネル符号化（Channel coding）、レートマッチング（Rate matching）、第１ＤＴＸ表示挿入（1st insertion of DTX indication）、第１インタリーブ（1st interleaving）、無線フレーム分割（Radio frame segmentation）の各処理を施された後、トランスポートチャネル多重化（TrCH Multiplexing）、第２ＤＴＸ表示挿入（2nd insertion of DTX indication）、物理チャネル分割（Physical channel segmentation）、第２インタリーブ（2nd interleaving）の各処理を施された上で、物理チャネル（ＤＰＣＨ）にマッピングされる（Physical channel mapping）。【００５０】
一方、ＭＳ２は、ＴＦＣに応じた受信処理を行なう（ステップＳ４，Ｓ６，Ｓ８，Ｓ１０）。ここで、ＭＳ２は、ＴＦＣを認識する必要があり、従来は、ＴＦＣＩかＢＴＦＤかによってＴＦＣを認識していたが、本例では、スロット毎の受信電界強度分布を基にＴＦＣを認識する。【００５１】
即ち、どのＴＦＣがＤＰＣＨにどのようにマッピングされるかは、通信開始時に通知されるＮＷパラメータで認識できるため、ＭＳ２では図２に示すＴＦＣ毎のデータ有り区間のパターンが分かっており、ＮＷ１において、データ有り区間では送信ＯＮ、データ無し区間では送信ＯＦＦとされるため、データ無し区間よりもデータ有り区間の受信電界強度が高くなる。【００５２】
したがって、受信側であるＭＳ２では、ＤＰＤＣＨの逆拡散の相関値を時系列にプロットすると、データ量の多いＴＦＣでは多くのビットで高いピークが得られ、そうでない場合はピークが少なくなる。図４の（１）〜（６）に、ＡＭＲ（Adaptive Multi-Rate）１２．２ｋｂｐｓでのＤＰＣＨスロットのＤＰＤＣＨデータ（ＤＡＴＡ１＋ＤＡＴＡ２）についての逆拡散相関値のＴＦＣ（０〜５）毎の逆拡散相関値の分布を示す。【００５３】
この図４から分かるように、それぞれのＴＦＣで、ピークが高くなるビット数とビット位置が異なっている。したがって、この違いにより、ＴＦＣＩデコードやＢＴＦＤを行なう前に、逆拡散相関値により、送信側（ＮＷ１）で選択したＴＦＣ（つまりはデータ構成）を予測することが可能となる。【００５４】
この予測は、例えば、受信側で予め用意した各ＴＦＣのパターンのどれに一番近いか（一致ビット数）を判断することによって行なうこともできるし、逆拡散相関値が得られたビット数（スロット内）が、逆拡散相関値が得られたビット位置と既知の前記パターンのビット位置との比較（ビットマップ比較）によって行なうこともできる。なお、後者の詳細については第１実施形態の変形例として後述する。【００５５】
したがって、図４に示す例では、スロット内のＤＰＤＣＨのデータ領域（ＤＡＴＡ１＋ＤＡＴＡ２）において、
（１）所定の閾値を上回る逆拡散相関値がスロット内で得られなければ、ＴＦＣ＝０と判断することができ、
（２）所定の閾値を上回る逆拡散相関値が得られたのが１４ビット目〜１７ビット目と３１ビット目〜３４ビット目ならば、ＴＦＣ＝１と判別することができ、同様に、
（３）１２ビット目〜１７ビット目と２９ビット目〜３３ビット目ならばＴＦＣ＝２、
（４）８ビット目〜１７ビット目と２５ビット目〜３３ビット目ならばＴＦＣ＝３、
（５）２ビット目〜１０ビット目と１４ビット目〜１６ビット目と１９ビット目〜２６ビット目と３１ビット目〜３３ビット目ならばＴＦＣ＝４、
（６）２ビット目〜１６ビット目と１９ビット目〜３３ビット目ならばＴＦＣ＝５
と判別することができる。【００５６】
この予測（判別）は、先頭スロットを受信した段階で可能であるため、予測したデータ構成に応じて、下り電力制御により下り電力の増減を行なうことが可能となる。【００５７】
（ＭＳ２の構成及び動作）
上述の予測、判断を行なう機能を具備するＭＳ２（ＣＤＭＡ受信機）の構成例を図５に示す。この図５に示すＭＳ２は、例えば、アンテナ２１と、ＲＦ部２２と、ＡＤ変換器（ＡＤＣ）２３と、ＡＧＣ２４と、逆拡散部２５と、同期検波部２６と、チャネルコーデック２７と、ＴＦＣ判別部２８と、下り電力制御部２９と、受信品質算出部３０とをそなえ、チャネルコーデック２７は、ＴＦＣＩデコード／ＢＴＦＤ部２７１，デインターリーブ部２７２，誤り訂正部２７３及びＣＲＣ部２７４をさらにそなえ、ＴＦＣ判別部２８は、閾値メモリ２８１，比較器２８２，カウンタ２８３，スロット内有効データ数算出部２８４，理論値格納テーブルメモリ２８５，差分算出部２８６，最小値検出部２８７，ＴＦＣ決定部２８８及び目標ＳＩＲ補正値算出部２８９をさらにそなえる。【００５８】
ＲＦ部２２では、アンテナ２１で受信された信号について低雑音増幅、周波数変換（ダウンコンバート）等の所要の無線受信処理を施す。
ＡＤＣ２３では、ＲＦ部２２からの信号をディジタル信号に変換する。【００５９】
ＡＧＣ２４では、ＡＤＣ２３によるＡＤ変換後のディジタル信号について逆拡散処理を施す。
同期検波部２６では、逆拡散部２５による逆拡散結果について同期検波を施してチャネルコーデック２７に出力する。【００６０】
チャネルコーデック２７では、同期検波部２６から入力される信号についてＴＦＣに応じた受信処理（チャネルコーデック処理）を行なう。【００６１】
即ち、ＴＦＣＩデコード／ＢＴＦＤ部１７１に対して上位レイヤからＴＦＣＩの有無が設定され、ＴＦＣＩ有りが設定されている場合は、当該ＴＦＣＩデコード／ＢＴＦＤ部１７１により、前記同期検波後の信号に含まれるＴＦＣＩを受信することで受信データ構成（下りＤＰＣＨのスロットフォーマット）を検出し、検出したデータ構成に応じて、デインターリーブ部２７２、誤り訂正部２７３、ＣＲＣ部２７４を動作させて、前記同期検波後の受信信号についてチャネルコーデック処理（復号処理）を施して、上位レイヤに報告する。【００６２】
一方、ＴＦＣＩデコード／ＢＴＦＤ部２７１に対して上位レイヤからＴＦＣＩ無しが設定されている場合は、ＢＴＦＤにより、全てのデータ構成について、デインターリーブ部２７２、誤り訂正部２７３、ＣＲＣ部２７４を動作させ、ＣＲＣ部２７４のＣＲＣ結果を基に最も正しいであろうデータ構成を選択し、そのデータ構成でチャネルコーデック処理（復号処理）を施したデータを上位レイヤに報告する。【００６３】
ＴＦＣ判別部２８では、逆拡散部２５により得られた受信信号のＤＰＣＨスロット内の逆拡散相関値の分布（パターン）を基にＴＦＣを予測（判別）する。【００６４】
即ち、通信開始時には、図６に示すように、上位レイヤからチャネルオープン情報（ＴＦＣＳ）が受信されると（ステップＳ１１のＹｅｓルート）、スロット内有効データ数算出部２８４が、スロット内有効データ数をＴＦＣ毎に算出し（ステップＳ１２）、理論値格納テーブルメモリ２８５に格納する（ステップＳ１３）。つまり、当該メモリ２８５は、無線フレームの一部（スロット）の逆拡散結果がＴＦＣ（データ構成）に応じて取り得る複数のパターン（ビット数）を前記受信電界強度分布の理論値として予め記憶しておく。【００６５】
その後、データ受信が開始されると、スロット毎の逆拡散相関値が比較器２８２に入力され、図７に示すように、比較器２８２は、予め閾値メモリ２８１に設定（記憶）されている閾値との大小比較を行ない（ステップＳ２１）、閾値を超えた逆拡散相関値の数をカウンタ２８３でカウントすることにより（ステップＳ２１のＹｅｓルートからステップＳ２２）、スロット内で閾値を超える逆拡散相関値が得られたビット数（有効受信データ数）を測定する（ステップＳ２３のＮｏルート）。【００６６】
つまり、本例において、逆拡散部２５，閾値メモリ２８１，比較器２８２及びカウンタ２８３から成るブロックは、無線フレームの一部であるスロット（特に、ＴＦＣＩが挿入されるスロットよりも前のスロットであって、好ましくは先頭スロット）の受信電界強度分布を測定する測定手段としての機能を果たしている。【００６７】
前記測定結果は差分算出部２８６に入力され、差分算出部２８６は、当該測定結果と理論値格納テーブルメモリ２８５に格納された理論値との差分を算出する（ステップＳ２３のＹｅｓルートからステップＳ２４）。なお、理論値はＴＦＣ毎に存在するから、当該差分算出は、ＴＦＣ数の分だけ行なう（ステップＳ２７のＮｏルート）。【００６８】
そして、最小値検出部２８７では、このようにＴＦＣ数の分だけ算出された差分の最小値を検出する（ステップＳ２５）。最小値が検出されたＴＦＣが、現在受信したスロットのＴＦＣに最も近しいと考えられるから、ＴＦＣ決定部２８８は、当該ＴＦＣを現在の受信ＴＦＣに決定する（ステップＳ２５のＹｅｓルートからステップＳ２６）。【００６９】
つまり、本例において、符号２８４〜２８８で示す各部から成るブロックは、前記測定結果（受信電界強度分布）に基づいて前記無線フレームのデータ構成（ＴＦＣ）を判別する判別手段としての機能を果たし、符号２８６〜２８８で示す各部から成るブロックは、無線フレームの一部を受信して逆拡散した結果のパターンとして得られる前記測定結果と、理論値格納テーブルメモリ２８５における理論値との比較により、受信中の無線フレームのＴＦＣを判別する受信データ構成判別部としての機能を果たしている。【００７０】
決定した受信ＴＦＣは目標ＳＩＲ値算出部２８９に通知され、当該目標ＳＩＲ補正値算出部（制御手段）２８９では、図８に示すように、前記決定したＴＦＣに応じた目標ＳＩＲの補正値（つまりは、下り送信電力の制御情報）を算出し（ステップＳ３１）、下り電力制御部２９に出力する（ステップＳ３２）。【００７１】
なお、ＴＦＣＩが無い下りＤＰＣＨを使用して通信を行なう場合、ＣＲＣ結果がＮＧとなると、元々データが無く送信ＯＦＦであったためにＮＧとなったのか、伝播環境での誤りのためにＮＧとなったのか、その判別が困難である。そこで、受信品質算出部３０では、前記決定したＴＦＣに応じて受信すべきであったデータ量と、実際に受信に成功した（ＣＲＣがＯＫの）データ量とを基に、受信品質（受信誤り率）を求めることにより、正確な受信品質を把握することが可能となる。【００７２】
以上のように、本実施形態のＭＳ２では、予めＴＦＣＳの各ＴＦＣについて逆拡散相関値（ピーク）が見えるビット数を理論値として算出しておき、閾値を超える逆拡散相関値が得られたビット数をカウントして、このカウント値に最も近い理論値となるＴＦＣを受信ＴＦＣと判断することができる。【００７３】
したがって、例えば図９に模式的に示すように、ＴＦＣＩのデコードやＢＴＦＤによりＴＦＣを決定する場合に比べて、最短で下りＤＰＣＨのＤＰＤＣＨスロットを１スロット（６６７μｓ）分受信（逆拡散）した時点で、受信ＴＦＣを判断、決定することができ、その判断結果に応じて、早期に目標ＳＩＲを補正することで下り電力制御を実施することも可能になる。【００７４】
即ち、同じ無線フレーム（１５スロット＝１０ｍｓ）の受信途中で、下りＤＰＣＨスロットの受信電力を当該ＤＰＣＨスロットに含まれるデータの重要度に応じて制御（増減）することが可能となる。なお、ＴＦＣＩの場合は無線フレームを１フレーム分受信して初めてＴＦＣの判別が可能となり、ＢＴＦＤの場合は全ＴＴＩ（ｎフレーム；ｎ＝１，２，４，８）を受信して初めてＴＦＣの判別が可能となる。【００７５】
したがって、同一フレームの受信途中に、例えば、ＤＰＣＣＨのデータ（制御データ）ような取りこぼしたくない重要度の高いデータ（以下、重要データという）を含むＴＦＣのスロットについては、より高い電力で受信できるように目標ＳＩＲを増加して下り電力制御（内部ループの電力制御）によりＮＷ１の下り送信電力を増加させることで、重要データの取りこぼしを低減することが可能となる。【００７６】
一方、重要データが含まれないＴＦＣのスロットについては、より低い電力でも構わなければ、目標ＳＩＲを減少して下り電力制御（内部ループの電力制御）で下り送信電力を減少させることができる。この場合、ＮＷ１の消費電力を低減することが可能となる。
つまり、効率的な電力制御が可能となる。【００７７】
例えば、音声通信中に受信すべきデータはＡＭＲのデータとＤＰＣＣＨのデータ（制御情報）とであるが、ＡＭＲは多少取りこぼしても通信維持にはあまり影響が無いので、下り電力を低めに設定しても構わない。しかし、音声通信中に、例えばメール着信があった場合、ＤＰＣＣＨが発生し、これを取りこぼしてしまうとＡＭＲも切断してしまう。つまり、ＤＰＣＣＨは是非とも取りこぼしたくないデータである。【００７８】
そこで、無線フレーム（ＴＴＩ）中にＤＰＣＣＨが送られていることが分かれば、その無線フレームの受信途中から下り電力制御により電力増加制御を実施することが可能となり、ＤＰＣＣＨの受信率を向上することができるのである。【００７９】
また、本例においては、電界強度分布測定に逆拡散相関値を用いていることにより、ＣＤＭＡ受信機にが通常具備する逆拡散処理機能を利用することができるから、電界強度分布測定のための新たな（特別な）処理を要することなく、受信ＴＦＣの決定が可能である。したがって、ＭＳ２の回路規模、コスト、消費電力等の低減に大きく寄与する。【００８０】
〔２〕変形例の説明
図１０は上述したＭＳ２の変形例を示すブロック図で、この図１０に示すＭＳ２は、図５に示した構成に比して、ＴＦＣ判別部２８に代えて、ビットマップ比較によるＴＦＣ判別部２８ａがそなえられる点が異なり、当該ＴＦＣ判別部２８ａには、既述の閾値メモリ２８１と比較器２８２とがそなられるほか、ピークビットマップ化部２８３ａ，スロット内ピークビットマップ値算出部２８４ａ，理論値格納テーブルメモリ２８５ａ，ビットマップパターン照合部２８６ａ，ＴＦＣ決定部２８８ａ及び目標ＳＩＲ補正値算出部２８９ａがそなえられる。なお、この図１０において、既述の符号と同一符号を付した要素は、特に断らない限り、既述の要素と同一若しくは同様の機能を具備する。【００８１】
本変形例のＴＦＣ判別部２８ａでは、受信信号の逆拡散相関値をビットマップ化して理論値（ビットマップパターン）との比較を行なうことにより、ＴＦＣの判別を行なう。【００８２】
即ち、通信開始時には、図１１に示すように、上位レイヤからチャネルオープン情報（ＴＦＣＳ）がスロット内ピークビットマップ値算出部２８４ａにて受信されると、当該算出部２８４ａは、スロット内で逆拡散相関値（ピーク）が得られるべき各ビット位置をビットマップとしてＴＦＣ毎に算出し（ステップＳ４１，ステップＳ４２及びＳ４２のＮｏルート）、理論値格納テーブルメモリ２８５ａに格納する（ステップＳ４３のＹｅｓルートからステップＳ４４）。つまり、当該メモリ２８５ａは、無線フレームの一部（スロット）の逆拡散結果がＴＦＣ（データ構成）に応じて取り得る複数のパターン（ビットマップ）を前記受信電界強度分布の理論値として予め記憶しておく。【００８３】
その後、データ受信が開始されると、スロット毎の逆拡散相関値が比較器２８２に入力され、図１２に示すように、比較器２８２は、予め閾値メモリ２８１に設定（記憶）されている閾値との大小比較を行ない（ステップＳ５１）、閾値を超えた場合はピークが得られたビットと判定し（ステップＳ５１のＹｅｓルート）、閾値以下の場合はピークが得られなかったビットと判定する（ステップＳ５１のＮｏルート）。【００８４】
ピークビットマップ化部２８３ａでは、この判定結果を記録してビットマップ化することにより、閾値を超えた逆拡散相関値が得られたビット位置（ビットマップ）を保持する（ステップＳ５２，Ｓ５３）。【００８５】
つまり、本例では、逆拡散部２５，閾値メモリ２８１，比較器２８２及びピークビットマップ化部２８３ａから成るブロックが、無線フレームの一部であるスロット（特に、ＴＦＣＩが挿入されるスロットよりも前のスロットであって、好ましくは先頭スロット）の受信電界強度分布を測定する測定手段としての機能を果たしている。【００８６】
ビットマップパターン照合部２８６ａでは、前記保持したビットマップパターンと、理論値格納テーブルメモリ２８５ａに格納されたビットマップパターンの理論値とを比較（照合）することにより、理論値と一致するビット位置の数をカウントする（ステップＳ５４のＹｅｓルートからステップＳ５５）。なお、理論値は、ＴＦＣ毎に存在するから、当該照合もＴＦＣの数だけ繰り返し行なう（ステップＳ５６及びＳ５７のＮｏルート）。【００８７】
そして、ＴＦＣ決定部２８８ａは、前記照合結果を受けて、一致カウント数が最大となったＴＦＣが、現在受信したスロットのＴＦＣに最も近しいと考えられるから、当該ＴＦＣを現在の受信ＴＦＣとして決定する（ステップＳ５８）。【００８８】
つまり、本例において、符号２８４ａ〜２８６ａ，２８８ａで示す各部から成るブロックが、前記測定結果（受信電界強度分布）に基づいて前記無線フレームのデータ構成（ＴＦＣ）を判別する判別手段としての機能を果たし、符号２８６ａ及び２８８ａで示す各部から成るブロックが、無線フレームの一部を受信して逆拡散した結果のパターンとして得られる前記測定結果と、理論値格納テーブルメモリ２８５ａにおける理論値との比較により、受信中の無線フレームのＴＦＣを判別する受信データ構成判別部としての機能を果たしている。【００８９】
決定した受信ＴＦＣは目標ＳＩＲ値算出部２８９ａに通知され、当該目標ＳＩＲ補正値算出部（制御手段）２８９では、図１３に示すように、前記決定したＴＦＣに応じた目標ＳＩＲの補正値（つまりは、下り送信電力の制御情報）を算出し（ステップＳ６１）、下り電力制御部２９に出力する（ステップＳ６２）。【００９０】
以上のように、本変形例のＭＳ２では、予めＴＦＣＳの各ＴＦＣについてピークが見えるべきビット位置を理論値として算出しておき、閾値を超える逆拡散相関値が得られたビット位置と最も近い理論値となるＴＦＣを受信ＴＦＣと判断することができる。【００９１】
したがって、本変形例においても、既述の実施形態と同様の作用効果が得られる。
例えば、図９に示したように、ＴＦＣＩのデコードやＢＴＦＤにより受信ＴＦＣを決定する場合に比べて、最短で下りＤＰＣＨのＤＰＤＣＨスロットを１スロット（６６７μｓ）分受信（逆拡散）した時点で、受信ＴＦＣを判断することができ、その判断結果に応じて目標ＳＩＲを補正することで、同じフレーム（１５スロット：１０ｍｓ）の受信途中で、下りＤＰＣＨスロットの受信電力を当該ＤＰＣＨスロットに含まれるデータの重要度等に応じて制御（増減）することが可能となる。【００９２】
〔３〕その他
上述した実施形態及び変形例において、１フレーム内でのＴＦＣが固定である場合、同一ＴＦＣではピークが得られるべきビット位置は各スロットで１ビット異なる場合もあるがほぼ同じである。そこで、例えば図１４に模式的に示すように、同一フレーム内の複数スロット（図１４では３スロット）分の部分データの逆拡散相関値を合成（加算（積分））してから、理論値に応じた閾値判定（比較器２８２での比較）を行なえば、無線伝搬路から受けた誤りを訂正することができ、ＴＦＣ判別の信頼度を向上することができる。
【産業上の利用可能性】
【００９３】
以上詳述したように、本発明によれば、データ受信側において、受信電界強度分布を基に受信データ構成を判断することができるから、従来よりも早期に受信データ構成を認識することができ、その受信データ構成に応じた効率的な処理（下り電力制御など）を早期に実施することができる。したがって、無線通信技術分野において極めて有用と考えられる。
【図１】
2009004700.tif 000004
【図２】
2009004700.tif 000005
【図３】
2009004700.tif 000006
【図４】
2009004700.tif 000007
【図５】
2009004700.tif 000008
【図６】
2009004700.tif 000009
【図７】
2009004700.tif 000010
【図８】
2009004700.tif 000011
【図９】
2009004700.tif 000012
【図１０】
2009004700.tif 000013
【図１１】
2009004700.tif 000014
【図１２】
2009004700.tif 000015
【図１３】
2009004700.tif 000016
【図１４】
2009004700.tif 000017
【図１５】
2009004700.tif 000018
【図１６】
2009004700.tif 000019
【図１７】
2009004700.tif 000020
【図１８】
2009004700.tif 000021
【図１９】
2009004700.tif 000022
【手続補正書】
【提出日】平成21年8月17日(2009.8.17)
【手続補正１】
【補正対象書類名】特許請求の範囲
【補正対象項目名】全文
【補正方法】変更
【補正の内容】
【特許請求の範囲】
【請求項１】
複数種類のデータ構成で無線フレームを送信する送信機から前記無線フレームを受信する受信機であって、
前記無線フレームの一部の受信電界強度分布を測定する測定手段と、
前記測定手段で測定された前記分布に基づいて前記無線フレームのデータ構成を判別する判別手段と、
をそなえたことを特徴とする、受信機。
【請求項２】
前記判別手段は、
前記無線フレームの一部の逆拡散結果が前記データ構成に応じて取り得る複数のパターンを前記受信電界強度分布の理論値として予め記憶しておくメモリと、
前記無線フレームの一部を受信して逆拡散した結果のパターンとして得られる前記測定手段の測定結果と、前記メモリにおける理論値との比較により、受信中の前記無線フレームのデータ構成を判別する受信データ構成判別部と、
をそなえたことを特徴とする、請求項１記載の受信機。
【請求項３】
前記判別手段は、
前記比較に、前記無線フレームの一部である複数の部分データについての前記測定結果の合成結果を用いることを特徴とする、請求項２記載の受信機。
【請求項４】
複数種類のデータ構成で無線フレームを送信する送信機から前記無線フレームを受信する受信機であって、
前記無線フレームの一部の受信電界強度分布を測定する判別手段と、
前記判別で測定された前記分布に基づいて前記無線フレームのデータ構成を判別する判別手段と、
前記判別手段で判別されたデータ構成に応じて前記送信機からの前記無線フレームの送信電力を制御する制御手段と、
をそなえたことを特徴とする、受信機。
【請求項５】
前記判別手段は、
前記無線フレームの一部の逆拡散結果が前記データ構成に応じて取り得る複数のパターンを前記受信電界強度分布の理論値として予め記憶しておくメモリと、
前記無線フレームの一部を受信して逆拡散した結果のパターンとして得られる前記測定手段の測定結果と、前記メモリにおける理論値との比較により、受信中の前記無線フレームのデータ構成を判別する受信データ構成判別部と、
をそなえたことを特徴とする、請求項４記載の受信機。
【請求項６】
前記制御手段は、
前記判別手段で判別されたデータ構成が重要度の高いデータを含まないことを示す場合に、前記送信電力を減少制御することを特徴とする、請求項４又は５に記載の受信機。
【請求項７】
前記判別手段は、
前記判別手段で判別されたデータ構成が重要度の高いデータを含むことを示す場合に、前記送信電力を増加制御することを特徴とする、請求項４〜６のいずれか１項に記載の受信機。
【請求項８】
前記無線フレームは、時分割多重された複数のスロットから構成され、
前記測定手段は、
前記データ構成を特定する情報が挿入されるスロットよりも前のスロットの前記受信電界強度分布を測定することを特徴とする、請求項１〜７のいずれか１項に記載の受信機。
【請求項９】
複数種類のデータ構成で無線フレームを送信する送信機から前記無線フレームを受信する受信機における受信処理方法であって、
前記無線フレームの一部の受信電界強度分布を測定し、
測定された前記分布に基づいて前記無線フレームのデータ構成を判別する、
ことを特徴とする、受信処理方法。
【請求項１０】
複数種類のデータ構成で無線フレームを送信する送信機から前記無線フレームを受信する受信機における受信処理方法であって、
前記無線フレームの一部の受信電界強度分布を測定し、
測定された前記分布に基づいて前記無線フレームのデータ構成を判別し、
判別されたデータ構成に応じて前記送信機からの前記無線フレームの送信電力を制御する、
ことを特徴とする、受信処理方法。
【手続補正２】
【補正対象書類名】明細書
【補正対象項目名】００９２
【補正方法】変更
【補正の内容】
【００９２】
〔３〕その他
上述した実施形態及び変形例において、１フレーム内でのＴＦＣが固定である場合、同一ＴＦＣではピークが得られるべきビット位置は各スロットで１ビット異なる場合もあるがほぼ同じである。そこで、例えば図１４に模式的に示すように、同一フレーム内の複数スロット（図１４では３スロット）分の部分データの逆拡散相関値を合成（加算（積分））してから、理論値に応じた閾値判定（比較器２８２での比較）を行なえば、無線伝搬路から受けた誤りを訂正することができ、ＴＦＣ判別の信頼度を向上することができる。
以上の実施形態及びその変形例に関し、さらに以下の付記を開示する。
〔４〕付記
（付記１）
複数種類のデータ構成で無線フレームを送信する送信機から前記無線フレームを受信する受信機であって、
前記無線フレームの一部の受信電界強度分布を測定する測定手段と、
前記測定手段で測定された前記分布に基づいて前記無線フレームのデータ構成を判別する判別手段と、
をそなえたことを特徴とする、受信機。
（付記２）
前記判別手段は、
前記無線フレームの一部の逆拡散結果が前記データ構成に応じて取り得る複数のパターンを前記受信電界強度分布の理論値として予め記憶しておくメモリと、
前記無線フレームの一部を受信して逆拡散した結果のパターンとして得られる前記測定手段の測定結果と、前記メモリにおける理論値との比較により、受信中の前記無線フレームのデータ構成を判別する受信データ構成判別部と、
をそなえたことを特徴とする、付記１記載の受信機。
（付記３）
前記判別手段は、
前記比較に、前記無線フレームの一部である複数の部分データについての前記測定結果の合成結果を用いることを特徴とする、付記２記載の受信機。
（付記４）
複数種類のデータ構成で無線フレームを送信する送信機から前記無線フレームを受信する受信機であって、
前記無線フレームの一部の受信電界強度分布を測定する判別手段と、
前記判別で測定された前記分布に基づいて前記無線フレームのデータ構成を判別する判別手段と、
前記判別手段で判別されたデータ構成に応じて前記送信機からの前記無線フレームの送信電力を制御する制御手段と、
をそなえたことを特徴とする、受信機。
（付記５）
前記判別手段は、
前記無線フレームの一部の逆拡散結果が前記データ構成に応じて取り得る複数のパターンを前記受信電界強度分布の理論値として予め記憶しておくメモリと、
前記無線フレームの一部を受信して逆拡散した結果のパターンとして得られる前記測定手段の測定結果と、前記メモリにおける理論値との比較により、受信中の前記無線フレームのデータ構成を判別する受信データ構成判別部と、
をそなえたことを特徴とする、付記４記載の受信機。
（付記６）
前記判別手段は、
前記比較に、前記無線フレームの一部である複数の部分データについての前記測定結果の合成結果を用いることを特徴とする、付記４又は５に記載の受信機。
（付記７）
前記制御手段は、
前記判別手段で判別されたデータ構成が重要度の高いデータを含まないことを示す場合に、前記送信電力を減少制御することを特徴とする、付記４〜６のいずれか１項に記載の受信機。
（付記８）
前記判別手段は、
前記判別手段で判別されたデータ構成が重要度の高いデータを含むことを示す場合に、前記送信電力を増加制御することを特徴とする、付記４〜７のいずれか１項に記載の受信機。
（付記９）
前記無線フレームは、時分割多重された複数のスロットから構成され、
前記測定手段は、
前記データ構成を特定する情報が挿入されるスロットよりも前のスロットの前記受信電界強度分布を測定することを特徴とする、付記１〜８のいずれか１項に記載の受信機。
（付記１０）
前記受信電界強度分布を測定するスロットは、前記無線フレームの先頭スロットであることを特徴とする、付記９記載の受信機。
（付記１１）
前記判別手段で判別されたデータ構成で受信されるべきデータ量と、実際の受信データ量とに基づいて、受信品質を算出する受信品質算出手段をさらにそなえたことを特徴とする、付記１〜１０のいずれか１項に記載の受信機。
（付記１２）
複数種類のデータ構成で無線フレームを送信する送信機から前記無線フレームを受信する受信機における受信処理方法であって、
前記無線フレームの一部の受信電界強度分布を測定し、
測定された前記分布に基づいて前記無線フレームのデータ構成を判別する、
ことを特徴とする、受信処理方法。
（付記１３）
複数種類のデータ構成で無線フレームを送信する送信機から前記無線フレームを受信する受信機における受信処理方法であって、
前記無線フレームの一部の受信電界強度分布を測定し、
測定された前記分布に基づいて前記無線フレームのデータ構成を判別し、
判別されたデータ構成に応じて前記送信機からの前記無線フレームの送信電力を制御する、
ことを特徴とする、受信処理方法。
【国際調査報告】
2009004700.tif 000023
2009004700.tif 000024
2009004700.tif 000025
2009004700.tif 000026